(57)【要約】【課題】読み取り対象物の周りの障害となるものを取り除いたり、読み取り対象物を取り外したりすることなく、記録媒体に記録されている情報の読み取りを行えるようにする。【解決手段】ケース１１をスティック状の小型のケースとする。ケース１１の長手方向（Ｘ方向）の一方側の端部に出力部１５を設ける。ケース１１の内部に第１の基板１２を収容する。ケース１１の外側に設けたアンテナ用ケース１７の内部に第２の基板１６を設ける。第２の基板１６は、アンテナ用ケース１７内に、その基板面１６ａをケース１１の長手方向に向けるようにして配置されており、この第２の基板１６の基板面１６ａにアンテナ１３が設けられている。アンテナ用ケース１７は、第２の基板１６の基板面１６ａの角度を変更させることができるように、ケース１１の長手方向の他方側の端部に軸支されている。【選択図】  図１
2018200637.tif 000002
【特許請求の範囲】
【請求項１】
スティック状に形成されたケースと、
前記ケースの内部に収容された第１の基板と、
記録媒体に記録されている情報を非接触で読み取るためのアンテナと、
前記記録媒体から読み取られた情報の外部機器への送信を制御する制御部と、
前記記録媒体から読み取られた情報の前記外部機器への出力部と、
前記アンテナが設けられた第２の基板とを備え、
前記出力部は、
前記ケースの長手方向の一方側の端部に設けられ、
前記第１の基板は、
前記ケースの長手方向に直交する方向にその基板面を向けるようにして配置され、
前記第２の基板は、
前記ケースの長手方向の他方側の端部に、前記ケースの長手方向にその基板面を向けるようにして配置され、
前記制御部は、
前記第１の基板の基板面に設けられ、
前記アンテナは、
前記第２の基板の基板面に設けられている
ことを特徴とするスティック型リーダ。
【請求項２】
請求項１に記載されたスティック型リーダにおいて、
前記出力部は、
コネクタを先端に備えたケーブルである
ことを特徴とするスティック型リーダ。
【請求項３】
請求項１に記載されたスティック型リーダにおいて、
前記出力部は、
コネクタである
ことを特徴とするスティック型リーダ。
【請求項４】
請求項１に記載されたスティック型リーダにおいて、
前記第２の基板は、
前記ケースの外側に設けられている
ことを特徴とするスティック型リーダ。
【請求項５】
請求項４に記載されたスティック型リーダにおいて、
前記第２の基板は、
前記ケースの外側に設けられたアンテナ用ケースの内部に設けられており、
前記アンテナ用ケースは、
前記第２の基板の基板面の角度を変更させることができるように前記ケースの長手方向の端部に軸支されている
ことを特徴とするスティック型リーダ。
【請求項６】
請求項４又は５に記載されたスティック型リーダにおいて、
前記アンテナ用ケースは、
取り外し可能とされている
ことを特徴とするスティック型リーダ。
【請求項７】
請求項１に記載されたスティック型リーダにおいて、
前記第２の基板は、
前記ケースの内部に収容されている
ことを特徴とするスティック型リーダ。
【請求項８】
請求項１〜７の何れか１項に記載されたスティック型リーダにおいて、
前記記録媒体に記録されている情報を非接触で読み取るための第２のアンテナを備え、
前記第２のアンテナは、
前記第１の基板の基板面に設けられている
ことを特徴とするスティック型リーダ。
【発明の詳細な説明】
【技術分野】
【０００１】
本発明は、記録媒体に記録されている情報を非接触で読み取って外部機器へ送信するリーダに関する。
【背景技術】
【０００２】
従来より、短距離の通信を非接触で行う技術として、ＮＦＣ（Near Field Communication）と呼ばれる技術が知られている。このＮＦＣは、カード情報の読み取りなどに広く使われており、パーソナルコンピュータやスマートフォンなどの機器と非接触ＩＣカードやＲＦＩＤ（Radio Frequency ID）タグなどの記録媒体との間での無線通信に用いられる。
【０００３】
図６に、記録媒体に記録されている情報を非接触で読み取ってパーソナルコンピュータやスマートフォンなどの外部機器へ送信するリーダの一例を示す（例えば、特許文献１，２参照）。
【０００４】
このリーダ１００は、ケース１０１と、このケース１０１に収容された基板（プリント基板）１０２とを備えている。基板１０２には、図７に示されるように、リーダに必要な回路部品と合わせて、コネクタ１０３やアンテナ１０４、外部アンテナ接続用のミニジャック１０５などが設けられている。
【０００５】
基板１０２に設けられたコネクタ１０３はケース１０１の長手方向の一方側の端部より突出している。基板１０２は、その基板面１０２ａがケース１０１の長手方向に直交する方向に向けられており、この基板面１０２ａにコイル状のパターンとしてアンテナ１０４が形成されている。アンテナ１０４は、基板１０２のコネクタ１０３とは反対側の端部の近傍、すなわちケース１０１の長手方向の他方側の端部の近傍に設けられている。
【０００６】
アンテナ１０４は、例えば、１３．５６ＭＨｚ帯を利用するＮＦＣの場合、約２ｃｍ程度の通信距離を確保できるように、直径約１ｃｍ、円形の渦巻状のループとし、線幅１００μｍ、線間１２５μｍとする。
【０００７】
コネクタ１０３は、パーソナルコンピュータ等の外部機器のコネクタに挿入することにより、プラグ＆プレイ等を実現できるＵＳＢ（Universal Serial Bus）のインタフェースである。
【０００８】
なお、特許文献１，２には、記録媒体に対して非接触で情報の読み書きを行うことができるリーダライタが示されているが、本発明では少なくとも記録媒体に記録されている情報の読み取りを行う機能を備えていればよい。このため、本明細書では、記録媒体への情報の書き込みを行う機能を備えているリーダライタも含めてリーダと呼ぶものとする。
【０００９】
図８に、外部機器をスマートフォン２００、記録媒体をＲＦＩＤタグ３００とした場合のリーダ１００の使用例を示す。この例において、ＲＦＩＤタグ３００は、空調設備などの設備機器を構成する小型の製品４００に取り付けられている。
【００１０】
この例では、リーダ１００とスマートフォン２００とをＵＳＢケーブル５００で接続し、リーダ１００を手に持って、ＲＦＩＤタグ３００に近づけるようにしている。これにより、リーダ１００のアンテナ１０４がＲＦＩＤタグ３００のアンテナ３０１に近づけられ、ＲＦＩＤタグ３００に記録されている情報が読み取られ、ＵＳＢケーブル５００を通してスマートフォン２００へ送られる。
【先行技術文献】
【特許文献】
【００１１】
【特許文献１】特許第４７０５３５３号公報
【特許文献２】特許第５０１６２５２号公報
【発明の概要】
【発明が解決しようとする課題】
【００１２】
しかしながら、このようなリーダ１００では、例えば図９に示すように、ＲＦＩＤタグ３００の近傍に障害物６００があるような場合、この障害物６００に妨げられて、リーダ１００をＲＦＩＤタグ３００に近づけることができないことがある。
【００１３】
すなわち、リーダ１００のアンテナ１０４は、ケース１０１の長手方向に直交する方向に向けられた基板面１０２ａに設けられている。このアンテナ１０４に対向するケース１０１の面（ケース１０１の長手方向に直交する方向の面）は面積が広く、このケース１０１の面積が広い面をＲＦＩＤタグ３００に近づけなければならない。このため、障害物６００が邪魔となって、リーダ１００のアンテナ１０４をＲＦＩＤタグ３００のアンテナ３０１に近づけることができないことがある。
【００１４】
このような場合、アンテナ同士を近づけることで発生する起電力が小さくなり、ＲＦＩＤタグ３００から情報を読み出すことができなかったり、認識率が落ちるという問題が発生する。
【００１５】
なお、図９に示した例では、ＲＦＩＤタグ３００の近傍に障害物６００があるものとしたが、ＲＦＩＤタグ３００が取り付けられている製品（読み取り対象物）４００が狭い場所に設置されていたり、配線などで囲まれていたような場合にも、同様の問題が生じる。
【００１６】
従来、このような問題に対しては、読み取り対象物の周りの障害となる物を取り除いたり、読み取り対象物自体を取り外したりして対処していた。
【００１７】
本発明は、このような課題を解決するためになされたもので、その目的とするところは、読み取り対象物が狭い場所や障害物があるような場所に設置されていても、読み取り対象物の周りの障害となるものを取り除いたり、読み取り対象物を取り外したりすることなく、記録媒体に記録されている情報の読み取りを行うことが可能なリーダを提供することにある。
【課題を解決するための手段】
【００１８】
このような目的を達成するために本発明は、スティック状に形成されたケース（１１）と、ケースの内部に収容された第１の基板（１２）と、記録媒体（３００）に記録されている情報を非接触で読み取るためのアンテナ（１３）と、記録媒体から読み取られた情報の外部機器（２００）への送信を制御する制御部（１４）と、記録媒体から読み取られた情報の外部機器への出力部（１５）と、アンテナが設けられた第２の基板（１６）とを備え、出力部（１５）は、ケースの長手方向の一方側の端部に設けられ、第１の基板（１２）は、ケースの長手方向に直交する方向にその基板面（１２ａ）を向けるようにして配置され、第２の基板（１６）は、ケースの長手方向の他方側の端部に、ケースの長手方向にその基板面（１６ａ）を向けるようにして配置され、制御部（１４）は、第１の基板の基板面に設けられ、アンテナ（１３）は、第２の基板の基板面に設けられていることを特徴とする。
【００１９】
本発明において、ケースは、スティック状とされており、このケースの長手方向の一方側の端部には外部機器への情報（記録媒体から読み取られた情報）の出力部が設けられている。また、ケースの内部には、第１の基板が収容されている。第１の基板は、ケースの長手方向に直交する方向にその基板面を向けるようにして配置されており、この第１の基板の基板面には、記録媒体から読み取られた情報の外部機器への送信を制御する制御部が設けられている。第２の基板は、ケースの長手方向の他方側の端部に、ケースの長手方向にその基板面を向けるようにして配置されており、この第２の基板の基板面には、記録媒体に記録されている情報を非接触で読み取るためのアンテナが設けられている。
【００２０】
本発明において、記録媒体に記録されている情報を非接触で読み取るためのアンテナは、第２の基板の基板面に設けられている。すなわち、本発明において、ケースの長手方向の他方側の端部の端面をケースの先端面とした場合、このケースの先端面に面するようにアンテナが設けられている。このケースの先端面の面積は、ケースがスティック状とされていることから、ケースの長手方向に直交する方向の面の面積よりも小さい。このケースの長手方向に直交する方向の面の外側（ケースの外側）や内側（ケースの内部）に第２の基板を設けることにより、読み取り対象物が狭い場所や障害物があるような場所に設置されていても、アンテナを記録媒体に近づけることが可能となる。
【００２１】
なお、上記説明では、一例として、発明の構成要素に対応する図面上の構成要素を、括弧を付した参照符号によって示している。
【発明の効果】
【００２２】
以上説明したことにより、本発明によれば、読み取り対象物が狭い場所や障害物があるような場所に設置されていても、アンテナを記録媒体に近づけることが可能となり、読み取り対象物の周りの障害となるものを取り除いたり、読み取り対象物を取り外したりすることなく、記録媒体に記録されている情報の読み取りを行うことが可能となる。
【図面の簡単な説明】
【００２３】
【図１】図１は、本発明の実施の形態に係るリーダ（スティック型リーダ）の要部を示す図である。
【図２】図２は、このリーダの使用例を示す図である。
【図３】図３は、図２においてＲＦＩＤタグの近傍に障害物がある場合を示す図である。
【図４】図４は、出力部をコネクタとした例を示す図である。
【図５】図５は、第１の基板にもアンテナを設けるようにした例を示す図である。
【図６】図６は、従来のリーダの一例を示す図である。
【図７】図７は、このリーダに収容されている基板を示す図である。
【図８】図８は、このリーダの使用例を示す図である。
【図９】図９は、図８においてＲＦＩＤタグの近傍に障害物がある場合を示す図である。
【発明を実施するための形態】
【００２４】
以下、本発明の実施の形態を図面に基づいて詳細に説明する。図１は本発明の実施の形態に係るリーダ（スティック型リーダ）１の要部を示す図である。
【００２５】
このリーダ１は、スティック状に形成された小型のケース１１と、ケース１１の内部に収容された第１の基板（プリント基板）１２と、ＲＦＩＤタグなどの記録媒体に記録されている情報を非接触で読み取るためのアンテナ１３と、記録媒体から読み取られた情報のスマートフォンなどの外部機器への送信を制御する制御部１４と、記録媒体から読み取られた情報の外部機器への出力部１５と、アンテナ１３が設けられた第２の基板（プリント基板）１６とを備えている。第２の基板１６はケース１１の外側に設けられたアンテナ用ケース１７の内部に設けられている。
【００２６】
なお、図１では、ケース１１やアンテナ用ケース１７を透過させて、リーダ１の内部の構成を示している。また、図には示していないが、このケース１１はグリップ部（持ち手）を備えており、ペンのように手で握ることができる。
【００２７】
このリーダ１において、出力部１５は、コネクタ１８−１，１８−２を両端に備えたＵＳＢケーブル１８とされ、ケース１１の長手方向（図１に示すＸ方向）の一方側の端部に設けられている。すなわち、ＵＳＢケーブル１８のコネクタ１８−２をケース１１の後側に設けられている相手側のコネクタに接続することによって、コネクタ１８−１を先端に備えたＵＳＢケーブル１８を出力部１５としてケース１１から導出させている。
【００２８】
また、第１の基板１２は、ケース１１の長手方向に直交する方向（図１に示すＹ方向）にその基板面１２ａを向けるようにして配置されており、この第１の基板１２の基板面１２ａに制御部１４が設けられている。第２の基板１６は、ケース１１の長手方向の他方側の端部に設けられたアンテナ用ケース１７内に、その基板面１６ａをケース１１の長手方向に向けるようにして配置されており、この第２の基板１６の基板面１６ａにアンテナ１３が設けられている。アンテナ用ケース１７は、第２の基板１６の基板面１６ａの角度を変更させることができるように、ケース１１の長手方向の他方側の端部に軸支されている。
【００２９】
図２に、外部機器をスマートフォン２００、記録媒体をＲＦＩＤタグ３００とした場合のリーダ１の使用例を示す。この例においても、ＲＦＩＤタグ３００は、空調設備などの設備機器を構成する小型の製品４００に取り付けられている。
【００３０】
この例では、リーダ１とスマートフォン２００とをＵＳＢケーブル１８で接続し、すなわちＵＳＢケーブル１８のコネクタ１８−１をスマートフォン２００のコネクタに挿入し、リーダ１を手に持って、ＲＦＩＤタグ３００に近づけるようにしている。これにより、リーダ１のアンテナ１３がＲＦＩＤタグ３００のアンテナ３０１に近づけられ、ＲＦＩＤタグ３００に記録されている情報が読み取られ、ＵＳＢケーブル１８を通してスマートフォン２００へ送られる。
【００３１】
図３に、ＲＦＩＤタグ３００の近傍に障害物６００がある場合を示す。図１に示されるように、リーダ１において、記録媒体に記録されている情報を非接触で読み取るためのアンテナ１３は、第２の基板１６の基板面１６ａに設けられている。すなわち、リーダ１において、ケース１１の長手方向の他方側の端部の端面１１ａをケース１１の先端面とした場合、このケース１１の先端面１１ａに面するようにアンテナ１３が設けられている。このケース１１の先端面１１ａの面積は、ケース１１がスティック状とされていることから、ケース１１の長手方向に直交する方向の面１１ｂの面積よりも小さい。これにより、障害物６００があっても、この障害物６００を避けるようにして、リーダ１のアンテナ１３をＲＦＩＤタグ３００のアンテナ３０１に近づけることができるようになる。また、ケース１１の外側に軸支されているアンテナ用ケース１７を動かすことにより、第２の基板１６の基板面１６ａの角度（アンテナ１３の向き）を変更させることができるので、より柔軟に狭所での作業に対応することができる。
【００３２】
なお、図３にはＲＦＩＤタグ３００の近傍に障害物６００がある場合を示しているが、ＲＦＩＤタグ３００が取り付けられている製品（読み取り対象物）４００が狭い場所に設置されていたり、配線などで囲まれていたような場合にも、上述と同様にして、リーダ１のアンテナ１３をＲＦＩＤタグ（記録媒体）３００のアンテナ３０１に近づけることができる。また、アンテナ用ケース１７を動かすことにより、アンテナ１３の向きを変更させることもできる。
【００３３】
このようにして、本実施の形態では、読み取り対象物が狭い場所や障害物があるような場所に設置されていても、読み取り対象物の周りの障害となるものを取り除いたり、読み取り対象物を取り外したりすることなく、記録媒体に記録されている情報の読み取りを行うことが可能となる。
【００３４】
また、このリーダ１には、スマートフォン２００の画面を手元で見ながら作業することができるという利点もある。すなわち、スマートフォンのＮＦＣアンテナは画面の反対側にあるとは限らず、画面側にアンテナがあるものも増えている。この場合、直接ＲＦＩＤタグ（記録媒体）にスマートフォンを近づけると、画面を確認しながらの作業はできない。これに対して、本実施の形態では、スマートフォン２００の画面を手元で見ながら、アンテナ１３をＲＦＩＤタグ（記録媒体）３００に近づけることができる。
【００３５】
なお、上述した実施の形態では、コネクタ１８−１を先端に備えたＵＳＢケーブル１８をリーダ１の出力部１５としたが、図４に示すように、第１の基板１２にコネクタ１９を設けるようにし、このコネクタ１９をリーダ１の出力部１５とするようにしてもよい。
【００３６】
また、図５に示すように、第２の基板１６の基板面１６ａに設けられているアンテナ１３を第１のアンテナとし、これと同様のアンテナ（記録媒体に記録されている情報を非接触で読み取るためのアンテナ）を第２のアンテナ２０として、第１の基板１２の基板面１２ａに設けるようにしてもよい。
【００３７】
また、上述した実施の形態では、第２の基板１６をケース１１の長手方向に直交する方向の面１１ａの外側（ケース１１の外側）に設けるようにしたが、内側（ケース１１の内部）に第２の基板１６を設けるようにしてもよい。
【００３８】
また、上述した実施の形態において、アンテナ用ケース１７を取りはずし可能とし、別のアンテナ用ケースを取り付けることができるようにしてもよい。これにより、様々な形状、サイズのアンテナを取り付けるようにして、記録媒体に合わせた最適なリーダに変更することが可能となる。この場合、アンテナ用ケース１７内のアンテナ１３の形状やサイズを変えるようにするが、これと合わせてアンテナ用ケース１７の大きさを変えるなどしてもよい。
【００３９】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００４０】
１…リーダ（スティック型リーダ）、１１…ケース、１２…第１の基板、１２ａ…基板面、１３…アンテナ（第１のアンテナ）、１４…制御部、１５…出力部、１６…第２の基板、１６ａ…基板面、１７…アンテナ用ケース、１８…ＵＳＢケーブル、１９…コネクタ、２０…アンテナ（第２のアンテナ）。
【図１】
2018200637.tif 000003
【図２】
2018200637.tif 000004
【図３】
2018200637.tif 000005
【図４】
2018200637.tif 000006
【図５】
2018200637.tif 000007
【図６】
2018200637.tif 000008
【図７】
2018200637.tif 000009
【図８】
2018200637.tif 000010
【図９】
2018200637.tif 000011